(57)【特許請求の範囲】
【請求項１】
下記式（１）に示す第一の構成単位と、下記式（２）で示される第二の構成単位とを有す
る洗浄剤用樹脂。
【化１】
0005890695.tif 000017
式（１）において、二つのＲは独立にＨ又は有機基であり、二つのＲが有機基である場合にはこれらのＲは相互に結合していてもよい。また式（１）において、Ｒ1はＨ又はＣＨ3であり、Ａ1はＯ又はＮＨであり、Ｂ1はＣＨ2ＣＯＮＨ又は炭素数１〜４のアルキレン基であり、Ｒ2は炭素数１〜４のアルキレン基である。
【化２】
0005890695.tif 000018
式（２）において、Ｒ3はＨ又はＣＨ3であり、Ｒ4は炭素数１〜４のアルキレン基であり、Ｒ5は炭素数１〜４のアルキル基又はＣＨ2Ｃ6Ｈ5であり、Ａ2はＯ又はＮＨであり、ＸはＢｒ、Ｃｌ、Ｉ、ＣＨ3ＳＯ4又はＣＨ3Ｃ6Ｈ4ＳＯ3である。
【請求項２】
前記第一の構成単位の割合が０．５〜５０質量％の範囲であり、前記第二の構成単位の割合が１０〜９０質量％の範囲である請求項１に記載の洗浄剤用樹脂。
【請求項３】
下記式（３）で示される第三の構成単位を更に有する請求項１又は２に記載の洗浄剤用樹脂。
【化３】
0005890695.tif 000019
式（３）において、Ｒ6はＨ又はＣＨ3を示し、Ｒ7はＨ又は炭素数１〜１８のアルキル基を示し、Ａ3はＯ又はＮＨを示し、ＥＯはオキシエチレン基を示し、ＰＯはオキシプロピレン基を示し、ＢＯはオキシブチレン基を示し、ｌ，ｍ，ｎの各々は０〜１００の整数を示す。
【請求項４】
下記式（４）で示される第四の構成単位を更に有する請求項１乃至３のいずれか一項に記載の洗浄剤用樹脂。
【化４】
0005890695.tif 000020
式（４）において、Ｒ8はＨ又はＣＨ3を示し、Ｒ9は炭素数１〜４のアルキレン基を示し、Ｒ10は炭素数１〜４のアルキレン基を示し、二つのＲ11は独立に炭素数１〜４のアルキル基を示し、Ａ4はＯ又はＮＨを示す。
【請求項５】
請求項４に記載の洗浄剤用樹脂の製造方法であって、３級アミノ基含有不飽和単量体を含む不飽和単量体を重合させてから、前記３級アミノ基含有不飽和単量体に由来する構成単位を両性化させて、下記式（４）で示される第四の構成単位を形成する洗浄剤用樹脂の製造方法。
【化５】
0005890695.tif 000021
式（４）において、Ｒ8はＨ又はＣＨ3を示し、Ｒ9は炭素数１〜４のアルキレン基を示し、Ｒ10は炭素数１〜４のアルキレン基を示し、二つのＲ11は独立に炭素数１〜４のアルキル基を示し、Ａ4はＯ又はＮＨを示す。
【請求項６】
請求項１乃至４のいずれか一項に記載の洗浄剤用樹脂を含有する洗浄剤組成物。
【発明の詳細な説明】
【技術分野】
【０００１】
本発明は、ボディソープ、ハンドソープ、シャンプーなどの洗浄剤組成物に配合される洗浄剤用樹脂、及びこの洗浄剤用樹脂を含有する洗浄剤、並びに洗浄剤用樹脂の製造方法に関する。
【背景技術】
【０００２】
ボディーソープ、ハンドソープ、シャンプーなどに適用される洗浄剤組成物としては、洗浄剤成分として界面活性剤など含有する様々な組成物が使用されている。消費者は、洗浄剤の機能として本来の目的である洗浄力のほかに、泡立ちが良いこと、泡質がクリーミーなこと、すすぎやすいこと、使用後の肌にしっとり感を感じること、使用後の肌につっぱり感を感じないことなどを好む傾向にある。
【０００３】
例えば、ポリオキシエチレンラウリルエーテル硫酸塩などの陰イオン性界面活性剤およびアミドプロピルベタインなどの両性界面活性剤を含有する洗浄剤組成物は、耐硬水性に優れ、またすすぎ時にきしみが生じにくいという利点を有している。
【０００４】
しかし、両性界面活性剤、並びに硫酸基またはスルホン酸基を有する陰イオン性界面活性剤は、泡質が粗くクリーミー性に欠け、泡もちが悪いという問題がある。
【０００５】
また、特許文献１では洗浄剤組成物にグリシン誘導体又はその塩、及びカチオン性又は両性ポリマーを含有させることで、起泡性及び泡質の向上、すすぎ時の泡切れの改善、並びに洗浄後の使用感の向上を図っている。しかし、洗浄剤組成物の起泡性及び泡質の性能は未だ十分ではなく、洗浄剤組成物としては必ずしも満足できるものではなかった。
【０００６】
また、高い洗浄力と起泡性や泡質、使用後の良好な感触を得る為に、洗浄剤組成物に様々な種類の洗浄剤を配合することが検討されている。特にマイルドな使用感と使用後の毛髪のごわつきや皮膚のつっぱり感を軽減するためにアミノ酸系洗浄剤を用いた処方開発もなされている。例えば、特許文献２では、鉱油系又はアルコール系合成洗剤にＮ−アシルグルタミン酸塩類、Ｎ−アシルスレオリン酸塩類、Ｎ−アシルアラニン酸塩類、Ｎ−アシルバリン酸塩類の１種又は２種以上を配合した洗剤が開示されている。
【０００７】
しかしながら、従来のアミノ酸系洗浄剤では、使用後の皮膚のつっぱり感のなさ、毛髪のごわつきのなさや、しなやかさは得られるものの、起泡性や泡質、泡持ち、洗浄効果が十分ではなく、洗浄剤組成物としては必ずしも満足できるものではなかった。
【先行技術文献】
【特許文献】
【０００８】
【特許文献１】特開平９−７８０８２号公報
【特許文献２】特公昭３９−２９４４４号公報
【発明の概要】
【発明が解決しようとする課題】
【０００９】
本発明は上記事由に鑑みてなされたものであり、その目的とするところは、洗浄剤組成物に配合されることで、洗浄剤組成物の泡質を改善することができ、更に洗浄時の感触を改善することが出来る洗浄剤用樹脂、及びこの洗浄剤用樹脂を含有する洗浄剤組成物、並びに洗浄剤用樹脂の製造方法を提供することにある。
【課題を解決するための手段】
【００１０】
本発明に係る洗浄剤用樹脂は、下記式（１）に示す第一の構成単位と、下記式（２）で示される第二の構成単位とを有する。
【００１１】
【化１】
0005890695.tif 000002
【００１２】
式（１）において、二つのＲは独立にＨ又は有機基であり、二つのＲが有機基である場合にはこれらのＲは相互に結合していてもよい。また式（１）において、Ｒ1はＨ又はＣＨ3であり、Ａ1はＯ又はＮＨであり、Ｂ1はＣＨ2ＣＯＮＨ又は炭素数１〜４のアルキレン基であり、Ｒ2は炭素数１〜４のアルキレン基である。
【００１３】
【化２】
0005890695.tif 000003
【００１４】
式（２）において、Ｒ3はＨ又はＣＨ3であり、Ｒ4は炭素数１〜４のアルキレン基であり、Ｒ5は炭素数１〜４のアルキル基又はＣＨ2Ｃ6Ｈ5であり、Ａ2はＯ又はＮＨであり、ＸはＢｒ、Ｃｌ、Ｉ、ＣＨ3ＳＯ4又はＣＨ3Ｃ6Ｈ4ＳＯ3である。
【００１５】
本発明に係る洗浄剤用樹脂において、前記第一の構成単位の割合が０．５〜５０質量％の範囲であり、前記第二の構成単位の割合が１０〜９０質量％の範囲であることが、好ましい。
【００１６】
本発明に係る洗浄剤用樹脂が、下記式（３）で示される第三の構成単位を更に有することが、好ましい。
【００１７】
【化３】
0005890695.tif 000004
【００１８】
式（３）において、Ｒ6はＨ又はＣＨ3を示し、Ｒ7はＨ又は炭素数１〜１８のアルキル基を示し、Ａ3はＯ又はＮＨを示し、ＥＯはオキシエチレン基を示し、ＰＯはオキシプロピレン基を示し、ＢＯはオキシブチレン基を示し、ｌ，ｍ，ｎの各々は０〜１００の整数を示す。
【００１９】
本発明に係る洗浄剤用樹脂が、下記式（４）で示される第四の構成単位を更に有することが、好ましい。
【００２０】
【化４】
0005890695.tif 000005
【００２１】
式（４）において、Ｒ8はＨ又はＣＨ3を示し、Ｒ9は炭素数１〜４のアルキレン基を示し、Ｒ10は炭素数１〜４のアルキレン基を示し、二つのＲ11は独立に炭素数１〜４のアルキル基を示し、Ａ4はＯ又はＮＨを示す。
【００２２】
本発明に係る洗浄剤用樹脂において、前記第四の構成単位を形成するための３級アミノ基含有不飽和単量体を含む不飽和単量体を重合させてから、前記３級アミノ基含有不飽和単量体に由来する構成単位を両性化させることによって前記第四の構成単位を形成して成ることが好ましい。
【００２３】
本発明に係る洗浄剤組成物は、前記洗浄剤用樹脂を含有する。
【発明の効果】
【００２４】
本発明に係る洗浄剤樹脂を洗浄剤組成物に配合すると、洗浄剤組成物の使用時の泡質を改善することができ、更に洗浄時の感触を改善することができる。
【発明を実施するための形態】
【００２５】
本実施形態では、洗浄剤用樹脂は、下記式（１）に示す第一の構成単位と、下記式（２）で示される第二の構成単位とを有する。
【００２６】
【化５】
0005890695.tif 000006
【００２７】
式（１）において、二つのＲは独立にＨ又は有機基であり、二つのＲが有機基である場合にはこれらのＲは相互に結合していてもよい。また式（１）において、Ｒ1はＨ又はＣＨ3であり、Ａ1はＯ又はＮＨであり、Ｂ1はＣＨ2ＣＯＮＨ又は炭素数１〜４のアルキレン基であり、Ｒ2は炭素数１〜４のアルキレン基である。特に、Ａ1はＯであり、Ｂ1はＣＨ2ＣＯＮＨ又は炭素数１〜２のアルキレン基であり、Ｒ2は炭素数１〜２のアルキレン基であることが好ましい。
【００２８】
【化６】
0005890695.tif 000007
【００２９】
式（２）において、Ｒ3はＨ又はＣＨ3であり、Ｒ4は炭素数１〜４のアルキレン基であり、Ｒ5は炭素数１〜４のアルキル基又はＣＨ2Ｃ6Ｈ5であり、Ａ2はＯ又はＮＨであり、ＸはＢｒ、Ｃｌ、Ｉ、ＣＨ3ＳＯ4又はＣＨ3Ｃ6Ｈ4ＳＯ3である。特に、Ｒ4は炭素数２〜４のアルキレン基であり、Ｒ5は炭素数１〜２のアルキル基であり、ＸはＣｌ又はＣＨ3ＳＯ4であることが好ましい。
【００３０】
このような洗浄剤樹脂を含有する洗浄剤組成物を使用すると、洗浄剤組成物の泡に厚み感（ボリューム）が与えられると共に泡の持続性が向上して泡質を改善する。更に、洗浄剤組成物の泡にすべり感（滑らかさ）が付与されて、洗浄時の感触が改善する。
【００３１】
本実施形態において、洗浄剤用樹脂における、第一の構成単位の割合が０．５〜５０質量％の範囲であることが好ましく、０．５〜３０質量％の範囲であれば更に好ましい。また洗浄剤用樹脂における、第二の構成単位の割合が１０〜９０質量％の範囲であることが好ましく、４０〜９０質量％の範囲であれば更に好ましい。更に、洗浄剤用樹脂における、第一の構成単位と第二の構成単位との合計量の割合が、２０〜１００質量％の範囲であることが好ましい。このように各構成単位の割合が調整されることで、洗浄剤組成物の泡質と洗浄時の感触とが特に改善する。
【００３２】
本実施形態において、洗浄剤用樹脂が下記式（３）で示される第三の構成単位を更に有することが好ましい。
【００３３】
【化７】
0005890695.tif 000008
【００３４】
式（３）において、Ｒ6はＨ又はＣＨ3を示し、Ｒ7はＨ又は炭素数１〜１８のアルキル基を示し、Ａ3はＯ又はＮＨを示し、ＥＯはオキシエチレン基を示し、ＰＯはオキシプロピレン基を示し、ＢＯはオキシブチレン基を示し、ｌ，ｍ，ｎの各々は０〜１００の整数を示す。特に、ｌ，ｍ，ｎの各々は０〜３０の整数であることが好ましい。
【００３５】
尚、ＥＯ，ＰＯ及びＢＯは、側鎖中のＡ3とＲ7との間に存在していれば、結合の順序は特に制限されず、例えばＥＯ，ＰＯ及びＢＯがランダム重合していてもよい。
【００３６】
このように洗浄剤樹脂が第三の構成単位を有すると、洗浄剤組成物の使用時における泡のボリューム感又はぬめり感が特に向上し、泡質が更に改善する。
【００３７】
洗浄剤用樹脂中の第三の構成単位の割合は、特に制限されないが、１〜８０質量％の範囲であることが好ましく、５〜４０質量％の範囲であれば更に好ましい。
【００３８】
本実施形態において、洗浄剤用樹脂が下記式（４）で示される第四の構成単位を更に有することも好ましい。
【００３９】
【化８】
0005890695.tif 000009
【００４０】
式（４）において、Ｒ8はＨ又はＣＨ3を示し、Ｒ9は炭素数１〜４のアルキレン基を示し、Ｒ10は炭素数１〜４のアルキレン基を示し、二つのＲ11は独立に炭素数１〜４のアルキル基を示し、Ａ4はＯ又はＮＨを示す。特に、Ｒ9は炭素数２〜４のアルキレン基であり、Ｒ10は炭素数１〜２のアルキレン基であり、Ｒ11は炭素数１〜２のアルキル基であることが好ましい。
【００４１】
このように洗浄剤用樹脂が第四の構成単位を更に有すると、特に洗浄剤用樹脂をシャンプーに配合した場合に、このシャンプーを使用した洗髪時並びにすすぎ時の指通りが向上し、このため使用感が向上する。
【００４２】
洗浄剤用樹脂中の第四の構成単位の割合は、特に制限されないが、０〜８０質量％の範囲であることが好ましく、５〜５０質量％の範囲であれば更に好ましい。
【００４３】
尚、洗浄剤用樹脂は、第一から第四の構成単位以外の、種々の構成単位を有してもよい。
【００４４】
洗浄剤用樹脂の分子量は特に制限されないが、重量平均分子量が５，０００〜１，０００，０００の範囲であることが好ましい。この場合、洗浄・乾燥後の毛髪の風合いがごわつくことなく、自然な風合いとなる。尚、洗浄剤用樹脂の重量平均分子量は、移動相として水／メタノール／酢酸／酢酸ナトリウム＝６／４／０．３／０．４１を用い、ポリエチレングリコールを標準物質とするゲル浸透クロマトグラフィーによる測定結果から求められる。
【００４５】
本実施形態に係る洗浄剤用樹脂は、例えばこの洗浄剤用樹脂中の構成単位を形成するための不飽和単量体を重合させることにより得られる。
【００４６】
洗浄剤用樹脂を合成するための不飽和単量体は、第一の構造単位を形成するための単量体、並びに第二の構造単位を形成するための単量体を含む。
【００４７】
第一の構造単位を形成するための単量体（第一の単量体）は、式（１）に示す第一の構成単位に対応するビニル系単量体であればよい。第一の単量体は、例えば次の式（１−１）で表される。
【００４８】
【化９】
0005890695.tif 000010
【００４９】
式（１−１）において、二つのＲは独立にＨ又は有機基であり、二つのＲが有機基である場合にはこれらのＲは相互に結合していてもよい。また式（１）において、Ｒ1はＨ又はＣＨ3であり、Ａ1はＯ又はＮＨであり、Ｂ1はＣＨ2ＣＯＮＨ又は炭素数１〜４のアルキレン基であり、Ｒ2は炭素数１〜４のアルキレン基である。
【００５０】
第一の単量体の具体例としては、Ｎ−（２−メタクリロイルオキシエチル）エチレンウレア、Ｎ−（メタクリロイルオキシアセトアミドエチレン）Ｎ，Ｎ’−エチレン尿素等が、挙げられる。
【００５１】
第二の構造単位を形成するための単量体（第二の単量体）は、式（２）に示す第二の構成単位に対応するビニル系単量体であればよい。第二の単量体は、例えば次の式（２−１）で表される。
【００５２】
【化１０】
0005890695.tif 000011
【００５３】
式（２）において、Ｒ3はＨ又はＣＨ3であり、Ｒ4は炭素数１〜４のアルキレン基であり、Ｒ5は炭素数１〜４のアルキル基又はＣＨ2Ｃ6Ｈ5であり、Ａ2はＯ又はＮＨであり、ＸはＢｒ、Ｃｌ、Ｉ、ＣＨ3ＳＯ4又はＣＨ3Ｃ6Ｈ4ＳＯ3である。
【００５４】
第二の単量体の具体例としては、メタクリロイルオキシエチルトリメチルアンモニウムクロライド、メタクリロイルアミノプロピルトリメチルアンモニウムクロライド、アクリロイルアミノプロピルトリメチルアンモニウムクロライド、メタクリロイルオキシエチルトリメチルアンモニウムメチルサルフェート、メタクリロイルアミノプロピルトリメチルアンモニウムメチルサルフェート等が挙げられる。
【００５５】
第二の単量体は、４級化されることにより式（２−１）に示す構造となり得るビニル系単量体であってもよい。このような第二の単量体（以下、未変性の第二の単量体という）は、例えば次の式（２−２）で表される。
【００５６】
【化１１】
0005890695.tif 000012
【００５７】
未変性の第二の単量体が用いられる場合には、洗浄剤用樹脂を得るにあたり、未変性の第二の単量体を含む不飽和単量体を重合させ、これにより得られた重合体中の未変性の第二の単量体に由来する構成単位を４級化させることにより、第二の構成単位を形成してもよい。この場合、４級化のために使用される化合物（４級化剤）としては、例えば炭素数が１〜１２のアルキルクロライド、ジアルキル硫酸、ジアルキルカーボネート、ベンジルクロライド等が挙げられる。
【００５８】
このように未変性の第二の単量体が使用されると、予め４級化された単量体が使用される場合よりも、不飽和単量体の重合反応が安定化する。
【００５９】
洗浄剤用樹脂を合成するための不飽和単量体は、更に第三の構成単位を形成するための単量体（第三の単量体）を含むことが好ましい。
【００６０】
第三の単量体は、式（３）に示す第三の構成単位に対応するビニル系単量体であればよい。第三の単量体は、例えば次の式（３−１）で表される。
【００６１】
【化１２】
0005890695.tif 000013
【００６２】
式（３−１）において、Ｒ6はＨ又はＣＨ3を示し、Ｒ7はＨ又は炭素数１〜１８のアルキル基を示し、Ａ3はＯ又はＮＨを示し、ＥＯはオキシエチレン基を示し、ＰＯはオキシプロピレン基を示し、ＢＯはオキシブチレン基を示し、ｌ，ｍ，ｎの各々は０〜１００の整数を示す。尚、ＥＯ，ＰＯ及びＢＯは、側鎖中のＡ3とＲ7との間に存在していれば、結合の順序は特に制限されず、例えばＥＯ，ＰＯ及びＢＯがランダム重合していてもよい。
【００６３】
第三の単量体の具体例としては、ポリエチレングリコール（ｎ＝２）（メタ）アクリレート、ポリエチレングリコール（ｎ＝４．５）（メタ）アクリレート、ポリエチレングリコール（ｎ＝１０）（メタ）アクリレート、ポリプロピレングリコール（ｎ＝６）（メタ）アクリレート、ポリプロピレングリコール（ｎ＝９）（メタ）アクリレート、ポリプロピレングリコール（ｎ＝１３）（メタ）アクリレート、ポリ（エチレングリコール（ｍ＝５）テトラメチレングリコール（ｎ＝２））（メタ）アクリレート、ポリ（エチレングリコール（ｍ＝６）テトラメチレングリコール（ｎ＝１０））（メタ）アクリレート、ポリ（エチレングリコール（ｍ＝１０）テトラメチレングリコール（ｎ＝５））（メタ）アクリレート、ポリ（プロピレングリコール（ｍ＝４）テトラメチレングリコール（ｎ＝８））（メタ）アクリレート、ポリ（プロピレングリコール（ｍ＝７）テトラメチレングリコール（ｎ＝６））（メタ）アクリレート、ポリ（プロピレングリコール（ｍ＝１０）テトラメチレングリコール（ｎ＝３））（メタ）アクリレート、メトキシポリエチレングリコール（ｎ＝２）（メタ）アクリレート、メトキシポリエチレングリコール（ｎ＝４）（メタ）アクリレート、メトキシポリエチレングリコール（ｎ＝９）（メタ）アクリレート、メトキシジプロピレングリコール（メタ）アクリレート、オクトキシジエチレングリコール（メタ）アクリレート、オクトキシポリエチレングリコール（ｎ＝８）ポリプロピレングリコール（ｎ＝６）（メタ）アクリレート等が、挙げられる。
【００６４】
洗浄剤用樹脂を合成するための不飽和単量体が、更に第四の構成単位を形成するための単量体（第四の単量体）を含むことも好ましい。
【００６５】
第四の単量体は、式（４）に示す第四の構成単位に対応するビニル系単量体であればよい。第四の単量体は、例えば次の式（４−１）で表される。
【００６６】
【化１３】
0005890695.tif 000014
【００６７】
第四の単量体は、両性化されることにより式（４−１）に示す構造となり得るビニル系単量体であってもよい。このような第四の単量体（以下、未変性の第四の単量体という）は、例えば次の式（４−２）で表されるような３級アミノ基含有不飽和単量体が挙げられる。
【００６８】
【化１４】
0005890695.tif 000015
【００６９】
この未変性の第四の単量体の具体例としては、ジメチルアミノエチル（メタ）アクリレート、ジエチルアミノエチル（メタ）アクリレート、ジメチルアミノプロピル（メタ）アクリルアミド等が、挙げられる。
【００７０】
未変性の第四の単量体が用いられる場合には、予め未変性の第四の単量体を両性化させてもよい。
【００７１】
また、洗浄剤用樹脂を得るにあたり、未変性の第四の単量体を含む不飽和単量体を重合させた後、これにより得られた重合体中の未変性の第四の単量体に由来する構成単位を両性化させることにより、第四の構成単位を形成してもよい。この場合、予め両性化された単量体が使用される場合よりも、不飽和単量体の重合反応が安定化する。
【００７２】
両性化は適宜に手法によりおこなわれるが、例えば未変性の第四の単量体又は重合体を含む親水性溶媒溶液を窒素気流下で攪拌しながら、この溶液に両性化剤を含む液（水溶液、親水性溶媒溶液、懸濁液等）を滴下し、続いてこの溶液を７０〜９５℃で２〜１０時間加熱することができる。
。
【００７３】
両性化剤としては、モノクロロ酢酸、モノブロモプロピオン酸、これらのアルカリ金属塩（ナトリウム塩、カリウム塩、リチウム塩等）、プロピオラクトン等のラクトン類、プロパンサルトン等のサルトン類等が、挙げられる。アルカリ金属塩が使用される場合、両性化により副次的に生成する塩は、必要に応じて濾過、イオン交換等の適宜の手法で除去される。
【００７４】
洗浄剤用樹脂を合成するための不飽和単量体は、第一から第四の単量体以外の単量体を含んでいてもよい。この場合、例えばアニオン性不飽和単量体、水酸基含有エチレン性不飽和単量体、カチオン性不飽和単量体、（メタ）アクリルアミド系単量体、これら以外のエチレン性不飽和単量体等のうち、洗浄剤用の樹脂に適用可能な適宜の単量体が使用され得る。このような第一から第四の単量体以外の単量体の具体例としては、アクリロニトリル；酢酸ビニル；スチレン；ビニルピロリドン；アクリルアミド、ジアセトンアクリルアミド、Ｎ，Ｎ−ジメチルアクリルアミド、Ｎ−ｔ−ブチルアクリルアミド、Ｎ−オクチルアクリルアミド、Ｎ−ｔ−オクチルアクリルアミド、（メタ）アクリル酸メチル、（メタ）アクリル酸ｎ−ブチル、（メタ）アクリル酸イソブチル、（メタ）アクリル酸ｔ−ブチル、（メタ）アクリル酸２−エチルヘキシル、（メタ）アクリル酸ｎ−ヘキシル、（メタ）アクリル酸ｎ−オクチル、（メタ）アクリル酸シクロヘキシル、（メタ）アクリル酸デシル、（メタ）アクリル酸ウンデシル、（メタ）アクリル酸ラウリル、（メタ）アクリル酸トリデシル、（メタ）アクリル酸ミリスチル、（メタ）アクリル酸ペンタデシル、（メタ）アクリル酸パルミチル、（メタ）アクリル酸ヘプタデシル、（メタ）アクリル酸ステアリル、（メタ）アクリル酸イソステアリル、（メタ）アクリル酸オレイル、（メタ）アクリル酸テトラヒドロフルフリル、（メタ）アクリル酸イソボルニル、（メタ）アクリル酸グリシジル等の、（メタ）アクリル酸のエステル類；（メタ）アクリル酸グリセリル等の単官能不飽和単量体等が、挙げられる。
【００７５】
洗浄剤用樹脂を得るための不飽和単量体の重合方法は特に制限されず、公知の種々の方法が採用され得るが、特に不飽和単量体を親水性溶媒中、又は水と親水性溶媒とを含む混合溶媒中で、ラジカル重合させることが好ましい。重合法としては、例えば溶液重合法、乳化重合法などが、採用され得る。洗浄剤用樹脂は、ブロック共重合体であってもグラフト共重合体であってもよい。
【００７６】
親水性溶媒が用いられる場合、その具体例としては、メタノール、エタノール、２−プロパノールなどの低級アルコール；アセトンなどの低級ケトンなどが挙げられる。これらの溶媒のうち一種のみが用いられても、二種以上が併用されてもよい。
【００７７】
不飽和単量体の重合にあたって、重合開始剤が使用されることも好ましい。重合開始剤としては、特に制限されないが、例えば、２，２’−アゾビスイソブチロニトリル、２，２’−アゾビス（２−メチルブチロニトリル）、２，２’−アゾビス（２，４−ジメチルバレロニトリル）、２，２’−アゾビス（２−アミジノプロパン）２塩酸塩、２，２’−アゾビス（Ｎ，Ｎ’−ジメチレンイソブチルアミジン）、過硫酸カリウム、過硫酸アンモニウム、過酸化水素水等が挙げられる。
【００７８】
不飽和単量体を重合させる際の反応温度は、不飽和単量体の組成、重合開始剤の種類、溶媒の種類などに依存するが、２０〜２００℃の範囲が好ましい。反応時間も、不飽和単量体の組成、重合開始剤の種類、溶媒の種類などに依存するが、３〜８時間の範囲であることが好ましい。
【００７９】
洗浄剤用樹脂を含有する洗浄剤組成物について、説明する。
【００８０】
洗浄剤組成物中の洗浄剤用樹脂の含有割合は、特に制限されないが、０．０１〜５質量％の範囲であることが好ましい。
【００８１】
洗浄剤組成物は、必要に応じ、洗浄剤用樹脂以外に界面活性剤等の適宜の成分を含有する。
【００８２】
例えば、洗浄剤組成物は、アニオン性界面活性剤、両性界面活性剤、半極性界面活性剤、ノニオン性界面活性剤及びカチオン性界面活性剤から選ばれる少なくとも一種の界面活性剤を含有してよい。
【００８３】
アニオン性界面活性剤としては、洗浄剤用途、そのうち特に人体に対する用途に適用可能であれば特別な制限はないが、例えば高級脂肪酸塩型界面活性剤、スルホン酸塩型界面活性剤、硫酸エステル塩型界面活性剤、アルキルリン酸エステル塩型界面活性剤が挙げられる。
【００８４】
高級脂肪酸塩型界面活性剤としては、例えばＣ１２〜Ｃ１８の飽和又は不飽和脂肪酸、ヤシ油脂肪酸、硬化ヤシ油脂肪酸、パーム油脂肪酸、硬化パーム油脂肪酸、牛脂脂肪酸、硬化牛脂脂肪酸などの塩（カリウム塩（カリ石ケン素地）、ナトリウム塩（石ケン素地）、トリエタノールアミン塩、アンモニウム塩など）などの脂肪酸石けん；アルキルエーテルカルボン酸塩、Ｎ−アシルサルコシン塩、Ｎ−アシルグルタミン酸塩などが挙げられる。より具体的には、例えばラウリン酸カリウム、ラウリルエーテルカルボン酸ナトリウム、Ｎ−ラウロイルサルコシンナトリウム、Ｎ−ラウロイルグルタミン酸ナトリウム、Ｎ−ラウロイルメチル−β−アラニントリエタノールアミンなどが挙げられる。洗浄剤組成物に脂肪酸石けんを含有させるにあたっては、脂肪酸石けんそのものが洗浄剤組成物に配合されても良いし、洗浄剤組成物中に脂肪酸とアルカリがそれぞれ別々に配合されて洗浄剤組成物中で中和されてもよい。
【００８５】
スルホン酸塩型界面活性剤としては、例えばＮ−アシルアミノスルホン酸塩、ポリオキシエチレンスルホコハク酸塩などが挙げられる。より具体的には、例えばＮ−ココイルメチルタウリンナトリウム、ポリオキシエチレンアルキルスルホコハク酸ナトリウムなどが挙げられる。
【００８６】
硫酸エステル塩型界面活性剤としては、例えば高級アルキル硫酸塩、ポリオキシエチレンアルキルエーテル硫酸塩などが挙げられる。
【００８７】
アルキルリン酸エステル塩型界面活性剤としては、例えばモノラウリルリン酸トリエタノールアミン、モノラウリルリン酸ジカリウムなどが挙げられる。
【００８８】
アニオン性界面活性剤は一種のみが用いられても複数種が用いられてもよい。
【００８９】
洗浄剤組成物に配合され得る両性界面活性剤及び半極性界面活性剤としては、洗浄剤用途、そのうち特に人体に対する用途に適用可能であれば特別な制限はないが、例えばイミダゾリン型（アミドアミン型）、アミドアミノ酸塩、カルボベタイン型（アルキルベタイン、アルキルアミドベタイン）等のカルボン酸型両性界面活性剤、スルホベタイン型（アルキルスルホベタイン、アルキルヒドロキシスルホベタイン）、ホスホベタイン型、アシル第３級アミンオキサイド、アシル第３級ホスフォンオキシドなどが挙げられる。カルボン酸型両性界面活性剤としては、より具体的には、イミダゾリン型として、例えばヤシ油アルキル−Ｎ−ヒドロキシエチルイミダゾリニウムベタインなど；アルキルベタインとして、例えばラウリルジメチルアミノ酢酸ベタインなど；アルキルアミドベタインとして、例えばヤシ油脂肪酸アミドプロピルベタインなどが挙げられる。アルキルスルホベタインとして、例えばヤシ油脂肪酸ジメチルスルホプロピルベタインなどが挙げられる。アルキルヒドロキシスルホベタインとして、例えばラウリルジメチルアミノヒドロキシスルホベタインなどが挙げられる。ホスホベタイン型として、例えばラウリルヒドロキシホスホベタインなどが挙げられる。アシル第３級アミンオキサイドとしては、例えばラウリルジメチルアミンオキサイドなどが挙げられる。アシル第３級ホスフォンオキサイドとしては、例えばラウリルジメチルホスフォンオキサイドなどが挙げられる。
【００９０】
洗浄剤組成物に配合され得るノニオン性界面活性剤としては、洗浄剤用途、そのうち特に人体に対する用途に適用可能であれば特別な制限はないが、例えばポリオキシアルキレン付加型ノニオン性界面活性剤、モノあるいはジエタノールアミド型ノニオン性界面活性剤、糖系ノニオン性界面活性剤、グリセリン系ノニオン性界面活性剤などが挙げられる。
【００９１】
ポリオキシアルキレン付加型ノニオン性界面活性剤には、一種類のポリオキシアルキレンが付加しているタイプと二種類以上のポリオキシアルキレンが付加しているタイプとがある。具体的には、前者として、例えばポリオキシエチレンラウリルエーテル、ポリオキシエチレンソルビタンモノオレエート、ポリエチレングリコール脂肪酸エステル、ポリオキシエチレン硬化ヒマシ油などが挙げられ、後者として、例えばポリオキシプロピレン・ポリオキシエチレンラウリルエーテルなどが挙げられる。モノあるいはジエタノールアミド系ノニオン性界面活性剤としては、例えばラウリン酸モノエタノールアミド、ヤシ油脂肪酸ジエタノールアミド、Ｎ−ポリヒドロキシアルキル脂肪酸アミドなどが挙げられる。
【００９２】
糖系ノニオン性界面活性剤としては、例えば糖エーテル系であるアルキルサッカライド系、糖アミド系、ソルビタン脂肪酸エステル系、ショ糖脂肪酸エステル系などが挙げられる。糖アミド系ノニオン性界面活性剤として、より具体的には、例えばＮ−メチルラウリルグルカミドなどのＮ−メチルアルキルグルカミド等が挙げられ、ソルビタン脂肪酸エステル系ノニオン性界面活性剤として、より具体的には、例えばモノイソステアレン酸ソルビタン、モノオレイン酸ソルビタンなどが挙げられる。ショ糖脂肪酸エステル系ノニオン性界面活性剤として、より具体的には、例えばラウリン酸ショ糖エステル、ショ糖モノステアレート、ＰＯＰショ糖モノラウレートなどが挙げられる。
【００９３】
グリセリン系ノニオン性界面活性剤としては、例えばセスキオレイン酸グリセリン、ポリオキシエチレングリセリルモノステアレートなどのモノグリセリン脂肪酸エステル系ノニオン性界面活性剤、モノイソステアリン酸ポリグリセリル等の脂肪酸エステル型ポリグリセリン系ノニオン性界面活性剤、ポリグリセリル・ポリオキシブチレンステアリルエーテルなどのアルキルエーテル型ポリグリセリン系ノニオン性界面活性剤等が挙げられる。
【００９４】
洗浄剤組成物は、本実施形態の効果を損なわない範囲において、更に種々の成分を含有してもよい。例えば洗浄剤組成物は、高級アルコール、シリコーン油などの油分、ラノリン誘導体、蛋白誘導体、水溶性高分子化合物、アクリル樹脂分散液、ビタミンなどの薬剤、殺菌剤、防腐剤、ｐＨ調整剤、酸化防止剤、金属封鎖剤、紫外線吸収剤、動植物抽出物又はその誘導体、色素、香料、顔料、無機粉体、ナイロン、ポリエチレンなどのポリマー水不溶性粉体などのうちの一種以上を含有してもよい。これらの成分の洗浄剤組成物中の含有量は、本実施形態の効果を損なわない範囲において適宜調整される。
【００９５】
洗浄剤組成物は、例えばペースト状、ゲル状、液体状、固体状等の適宜の性状を備えてもよい。
【００９６】
本実施形態に係る洗浄剤組成物を使用すると、泡に厚み感（ボリューム）が与えられると共に泡の持続性が向上して泡質が改善する。更に、洗浄剤組成物の泡にすべり感（滑らかさ）が付与されて、洗浄時の感触が改善する。従って、この洗浄剤組成物は、人体の洗浄用途に特に好適である。
【実施例】
【００９７】
以下、本発明の具体的な実施例を示す。但し、本発明はこの実施例に制限されず、種々の設計変更が可能である。
【００９８】
尚、以下に使用される「部」及び「％」は、特に明示しない限り全て質量基準であり、また表中に示される各成分の配合量は全て「質量部」で表したものである。
【００９９】
［洗浄剤用樹脂の合成］
還流冷却器、温度計、窒素置換用管及び撹拌機が取り付けられた容量１リットルの四つ口フラスコに、各実施例及び比較例において下記表に示す原料、及びエタノールを仕込み、窒素気流下、昇温し、還流状態（約８０℃）になったところで、重合開始剤（２，２’−アゾビスイソブチロニトリル）を添加し、４時間かけて重合反応を進行させた。
【０１００】
尚、下記表中の原料の詳細は次の通りである。
・ＭＥＥＵ：Ｎ−（２−メタクリロイルオキシエチル）エチレンウレア。
・ＭＥＵ：Ｎ−（メタクリロイルオキシアセトアミドエチレン）Ｎ，Ｎ’−エチレン尿素。
・ＤＭＣ：メタクリロイルオキシエチルトリメチルアンモニウムクロライド。
・ＭＡＰＴＡＣ：メタクリロイルアミノプロピルトリメチルアンモニウムクロライド。
・ＤＭＡＰＡＡ−Ｑ：アクリロイルアミノプロピルトリメチルアンモニウムクロライド。
・ＰＥ−３５０：ポリエチレングリコール（ｎ＝８）メタクリレート。
・ＨＥＭＡ：ヒドロキシエチルメタクリレート。
・ＨＥＡ：ヒドロキシエチルアクリレート。
・Ｍ−９０Ｇ：メトキシポリエチレングリコール（ｎ＝９）メタクリレート。
・ＤＰＭ−Ａ：メトキシジプロピレングリコールアクリレート。
・ＥＨＤＧ−ＡＴ：オクトキシジエチレングリコールアクリレート。
・５０ＰＯＥＰ−８００Ｂ：オクトキシポリエチレングリコール（ｎ＝８）ポリプロピレングリコール（ｎ＝６）メタクリレート。
・ＤＭＭＡ：ジメチルアミノエチルメタクリレート。
・ＤＭＡＥＡ：ジメチルアミノエチルアクリレート。
・ＤＭＡＡ：Ｎ，Ｎ−ジメチルアクリルアミド。
・ＢＡ：アクリル酸ｎ−ブチル。
・ＥＨＭＡ：メタクリル酸２−エチルヘキシル。
【０１０１】
続いて、実施例１，２，４並びに比較例１，２では、四つ口フラスコ内の溶液を攪拌しながら、窒素気流下、下記表に示される両性化剤のエタノール溶液を滴下し、続いて溶液を７０〜９５℃の範囲に保持しながら８時間加熱した。続いてこの溶液から無機塩をろ過により除去した。尚、下記表に示される両性化剤は、次の通りである。
・両性化剤ａ：モノクロロ酢酸カリウム。
・両性化剤ｂ：モノクロロ酢酸ナトリウム。
・両性化剤ｃ：モノブロモプロピオン酸ナトリウム。
【０１０２】
また、下記表における両性化比率は、原料中のＤＭＭＡ及びＤＭＡＥＡの使用量に対する両性化剤の使用量の割合をモル百分率で示した値である。
【０１０３】
次に、各実施例及び比較例において、溶液から溶媒を留去した後、水又はエタノールを加えることでこの溶液の溶媒含有量を調整することで、固形分濃度４０％の樹脂溶液を得た。
【０１０４】
［シャンプーの調製及び評価］
（調製）
各実施例及び比較例で得られた樹脂溶液１．２５部、ＰＯＥ（ｎ＝３）ラウリルエーテル硫酸ナトリウム１０部、ヤシ油脂肪酸アミドプロピルベタイン３部、及び精製水８５．７５部を配合することで、シャンプーを得た。
【０１０５】
１０人の被験者がこのシャンプーを使用してから、下記評価項目について下記の基準で評点をつけた。１０人の被験者の評点の平均値（小数点第一位を四捨五入）を下記表に示す。
【０１０６】
（泡のボリューム感）
シャンプーを泡立てたときの感触を次のように評価した。
３点：泡に十分ボリュームがあると感じられる(厚み感のある泡)。
２点：泡にややボリュームがあると感じられる(中程度の厚み感の泡)。
１点：泡にボリュームが感じられない(水っぽく薄い泡)。
【０１０７】
（泡もち）
シャンプーを泡立てたときの泡の持続性を次のように評価した。
３点：十分に泡が持続すると感じられる。
２点：やや泡が持続すると感じられる。
１点：泡が持続すると感じられない。
【０１０８】
（泡のヌメリ感）
シャンプーを泡立てたときの感触を次のように評価した。
３点：泡にヌメリ感があると感じられる。
２点：泡にややヌメリ感があると感じられる。
１点：泡にヌメリ感が感じられない。
【０１０９】
（洗髪時指通り）
シャンプーを使用して洗髪を行なったときの、泡立てた状態での指通りの良さを次のように評価した。
３点：ひっかかりなく、スムーズに指が通る。
２点：若干ひっかかり感じるが、さほど気にならない程度。
１点：不快なきしみ感やひっかかりを感じる。
【０１１０】
（すすぎ時指通り）
シャンプーを使用して洗髪を行なったときの、すすいでる状態での指通りの良さを次のように評価した。
３点：ひっかかりなく、スムーズに指が通る。
２点：若干ひっかかり感じるが、さほど気にならない程度。
１点：不快なきしみ感やひっかかりを感じる。
【０１１１】
（乾燥後風合い）
シャンプーを使用して洗髪を行なったときの、洗い上がり(乾燥後)の毛髪の風合いを次のように評価した。
４点：サラサラした滑らかな感触。
３点：やや滑らかな感触。
２点：ザラザラした感触。(何もついていないような感触)
１点：ゴワゴワした不快な残り感が感じられる。
【０１１２】
［ハンドソープの調製及び評価］
（調製）
実施例１〜６及び比較例１〜３の各々で得られた樹脂溶液１．２５部、カリ石ケン地１０質量部、及び精製水８８．７５部を配合することで、ハンドソープを得た。
【０１１３】
１０人の被験者がこのハンドソープを使用してから、下記評価項目について下記の基準で評点をつけた。１０人の被験者の評点の平均値（小数点第一位を四捨五入）を下記表に示す。
【０１１４】
（泡のボリューム感）
ハンドソープを泡立てたときに感じられる泡のボリューム感を、１０人の被験者が下記の基準で官能評価した。
３：泡に十分ボリュームがあると感じられる（厚み感のある泡）。
２：泡にややボリュームがあると感じられる（中程度の厚み感の泡）。
１：泡にボリュームが感じられない（水っぽく薄い泡）。
【０１１５】
（すすぎ時残り感）
ハンドソープを使って皮膚を洗った際の、すすぎ時の感触を、１０人の被験者が下記の基準で官能評価した。
３：良い。
２：どちらともいえない。
１：悪い。
【０１１６】
（仕上がり）
ハンドソープを使って皮膚を洗った際の、洗い上がりの感触を、１０人の被験者が下記の基準で官能評価した。
４：しっとりした感触。
３：ややしっとりした感触。
２：ややさっぱりした感触。
１：カサカサした感触。
【０１１７】
【表１】
0005890695.tif 000016
【０１１８】
表１に示す結果によると、実施例１〜９では、泡のボリューム感、泡もち、泡のヌメリ感、洗髪時指通り、すすぎ時指通り、及び乾燥後風合いがバランス良く向上している洗浄剤組成物が得られた。